(57)【要約】【課題】使用者の胸を覆うのに適したテーブルナプキンを提供する。【解決手段】紙、布又は不織布からなるテーブルナプキンであって、当該テーブルナプキンの周辺の一箇所にワイシャツボタンのボタン穴を有し、そのボタン穴よりもテーブルナプキンの中央に近い箇所にネクタイを通すネクタイ穴を有する。テーブルナプキンの周辺であって、ワイシャツボタンのボタン穴を有する部分とは他の箇所に、ワイシャツボタンよりも大きいボタンのボタン穴を有する。一端にボタンを有し、他端にボタン穴を有し、紙、布又は不織布からなる帯状の首巻きを付属物として有する。帯状の首巻は、ボタン又はボタン穴を複数有する。【選択図】図２
2018161396.tif 000002
【特許請求の範囲】
【請求項１】
紙、布又は不織布からなるテーブルナプキンであって、
当該テーブルナプキンの周辺の一箇所にワイシャツボタンのボタン穴を有し、
前記ボタン穴よりも前記テーブルナプキンの中央に近い箇所にネクタイを通すネクタイ穴を有することを特徴とするテーブルナプキン。
【請求項２】
前記テーブルナプキンの周辺であって、前記ワイシャツボタンのボタン穴を有する部分とは他の箇所に、ワイシャツボタンよりも大きいボタンのボタン穴を有することを特徴とする請求項１に記載のテーブルナプキン。
【請求項３】
一端にボタンを有し、他端にボタン穴を有し、紙、布又は不織布からなる帯状の首巻きを付属物として有することを特徴とする請求項１又は２に記載のテーブルナプキン。
【請求項４】
前記帯状の首巻は、前記ボタン又は前記ボタン穴を複数有することを特徴とする請求項３に記載のテーブルナプキン。
【発明の詳細な説明】
【技術分野】
【０００１】
本発明は、ネクタイを通すことが可能なネクタイ穴を有するテーブルナプキンに関する。とりわけ、披露宴の席上で出席者が食事をする際に、着用しているネクタイがよごれるのを防止するテーブルナプキンに関する。
【背景技術】
【０００２】
従来から結婚披露宴や、レストランで用いるテーブルナプキンがある。膝の上に置いて用いることが多い。
一方、エプロンを着用して衣服が汚れないようにすることがある。
【０００３】
特許文献１には、形状記憶材料を用いたテーブルナプキンであって、体にフィットするものが開示されている。
【０００４】
特許文献２には、結婚披露宴の出席者に配られる引出物の一部として用いられるテーブルナプキンであって、刺繍が施されたものについて開示されている。披露宴の会場を示す文字や、当該出席者の氏名、または新郎新婦の名前などが刺繍されるものである。
【０００５】
特許文献３には、磁石付きずれ防止テーブルナプキンが開示されている。着用している衣類とテーブルナプキンとを重ねた状態で両側から2個の永久磁石によって挟んで固定するものである。
【０００６】
特許文献４には、首回りに設けるナプキン支持体であって、テーブルナプキンをクリップ止めするものが開示されている。
【０００７】
特許文献５には、不織布を用いるテーブルナプキンを開示している。
【０００８】
特許文献６には、表面に複数のエンボス加工が形成されたものをテーブルナプキンとして用いることが開示されている。
【先行技術文献】
【特許文献】
【０００９】
【特許文献１】特開２００７−１１７３８６号
【特許文献２】実開平０６−０３４９３３号
【特許文献３】特開２００７−３１９３０５号
【特許文献４】特表２００８−５３６０２１号
【特許文献５】特表２００８−５４６９２８号
【特許文献６】特許５３５２１０２号
【発明の概要】
【発明が解決しようとする課題】
【００１０】
エプロンは、主に飲食物からのコボレやタベカスによる衣服等のヨゴレ・ヌレなどの、主に発生しやすい部分をヌノ・カミ・プラスチックを含むその他の素材で覆い隠す。着用者が動くことでエプロンが移動しないように首かけや、背中で交差する紐掛けなどで着用者の体にフィットさせて、その機能を確保している。
【００１１】
冠婚葬祭服の礼・喪服着用時にエプロンをつけることは一般的には見かけられない。特にヨゴレ発生には注意を払うことの第一番であることには間違いないところであり、当該会場では必ずと言える位それ等を察し、ヌノかカミ製のテーブルナプキンが食膳に置かれている。肝心の胸の辺りは、広げて覆っても身の動きでズレてしまうか、外れて落ちてしまうことが多い。故に膝の上にエプロンを広げのせて使用しているのが実情である。手指や口周りの汚れを拭い取ることにのみテーブルナプキンの存在価値が実感されている。
【００１２】
本発明の発明者は、テーブルナプキンとして男女共に礼服・喪服を着用時に簡便に用いるものとして提供できる可能性があると気づいた。本発明の目的は、使用者の胸を覆うのに適したテーブルナプキンを提供することにある。
【課題を解決するための手段】
【００１３】
本発明に係るテーブルナプキンは、紙、布又は不織布からなるテーブルナプキンであって、当該テーブルナプキンの周辺の一箇所にワイシャツボタンのボタン穴を有し、前記ボタン穴よりも前記テーブルナプキンの中央に近い箇所にネクタイを通すネクタイ穴を有することを特徴とする。これにより、ワイシャツのボタンに止めて用い、ネクタイをネクタイ穴を通して裏側に位置させて、ネクタイを覆うことのできるテーブルナプキンを提供できる。
【００１４】
前記テーブルナプキンの周辺であって、前記ワイシャツボタンのボタン穴を有する部分とは他の箇所に、ワイシャツボタンよりも大きいボタンのボタン穴を有することを特徴とする。これにより、ワイシャツボタンよりも大きいボタンに、このテーブルナプキンを固定することが可能になる。
【００１５】
前記テーブルナプキンの付属物として、一端にボタンを有し、他端にボタン穴を有し、紙、布又は不織布からなる帯状の首巻きを有することを特徴とする。これにより、ボタンを有しない衣服を着用している場合であっても、前記テーブルナプキンを使用することが可能となる。
【００１６】
前記帯状の首巻は、前記ボタン又は前記ボタン穴を複数有することができる。これにより、使用者の首の太さに対応させた長さの調整が可能となる。
【発明の効果】
【００１７】
本発明に係るテーブルナプキンは、礼服・喪服、特に、男性のネクタイの汚れを防ぐことができる。ワイシャツ用のボタン穴を有することにより、着用位置の安定性をもたらす。礼服・喪服着用時の胸のあたりの汚れ防止を効果的に実現できるという機能を比較的簡便な加工で生産ができる。
【図面の簡単な説明】
【００１８】
【図１】テーブルナプキンの実施形態１、ワイシャツ用ボタン穴とネクタイ穴を有するテーブルナプキンを示す図である。
【図２】テーブルナプキンの実施形態１の使用例を示す図である。図２（ａ）は、ネクタイの結び目あたりの様子を示す。図２（ｂ）は、使用者の上半身を含む全体の様子を示す。
【図３】テーブルナプキンの実施形態２、ワイシャツ用ボタンよりも大きいボタン用の穴を有するテーブルナプキンを示す図である。
【図４】一端にワイシャツ用ボタンを有し、他端にワイシャツ用ボタン穴を有する帯状部材からなり、首巻として機能する付属物３０を示す図である。
【図５】付属物３０の使用例を示す図である。
【図６】ワイシャツ用ボタンとワイシャツ用ボタン穴とを有し首巻として機能するのに加えて、さらにワイシャツ用ボタンよりも大きいボタンを両端に有し、背中側を留める機能を併せ持つ帯状部材からなる付属物４０を示す図である。
【発明を実施するための形態】
【００１９】
以下、図面を参照しつつ本発明に係るテーブルナプキン及びその付属物について説明する。同一符号を用いる場合には、同様の構成、機能を有する。
【００２０】
≪実施形態１≫
図１は、テーブルナプキンの実施形態１、ワイシャツ用ボタン１１とネクタイ穴１２とを有するテーブルナプキン１０を示す図である。テーブルナプキン１０の素材は、布又は紙を用いることができる。布は、綿、絹、麻などの自然素材のみならず化学繊維を用いてもよい。また、パルプ等を素材とする不織布を用いてもよい。全体の外形は正方形とすることができる。角を落とし、丸みを持たせるなどの変形加工を施すこともできる。また、周囲に刺繍を施すなどの装飾があってもよい。テーブルナプキン１０の大きさは、正方形とみたときの一辺の長さが４０センチメートルから６０センチメートル程度が適切である。
【００２１】
テーブルナプキン１０の４つの頂点のうちの一つを頂点Ａと定め、図１に示すように、他の頂点を時計回りに頂点Ｂ、頂点Ｃ、頂点Ｄとする。頂点Ａから対角線ＡＣ上の７センチメートルから８センチメートル離れた線上に長さ１５ミリメートル程度の切り込みを入れてワイシャツ用ボタン穴１１を設ける。テーブルナプキン１０が布製の場合は、ワイシャツ用ボタン穴１１の周囲をかがり縫いして強度を高めることが望ましい。テーブルナプキン１０が紙製の場合には、その周囲にテープを貼るなどして強度を高めることができる。ワイシャツ用ボタン穴１１は、ワイシャツの上から二番目のボタンにかけることによりテーブルナプキン１０を着用者の胸に吊るすために用いられる。
【００２２】
対角線ＡＣ上の頂点Ａから頂点Ｃに向かって１２センチメートルから１３センチメートル移動したあたりに対角線ＡＣに直角、すなわち対角線ＢＤに平行の切れ込みを９センチメートルから１０センチメートルほどの長さにわたって設けてネクタイ穴１２とする。このネクタイ穴１２の切れ込みは、左右対称になるように、すなわち対角線ＡＣの両側に均等に延びるように設ける。このネクタイ穴１２は、着用者がワイシャツ用ボタン穴１１を自らが着用するワイシャツの上から二番目のボタンにかけてテーブルナプキン１０を吊るし、その後、ネクタイの下方の部分を手に持ってネクタイ穴１２を通して、テーブルナプキン１０の裏側に移動させることで、ネクタイの汚れる可能性のある部分をテーブルナプキン１０により覆い隠すように用いるものである。
【００２３】
テーブルナプキンの実施形態１の使用例を示す図である。図２（ａ）は、ネクタイの結び目あたりの様子を示す。着用者が通常着用する上着を描くのを省略してある。着用者は、ワイシャツ１３を着用し、ネクタイ１５を着用した状態で、たとえば結婚披露宴のテーブルに着席する。着席したテーブルに準備されたテーブルナプキン１０を手に取り、ネクタイ穴１２の近くにあるワイシャツ用ボタン穴１１の近くをつかんで、自分のネクタイの下からテーブルナプキン１０を首の近くに運んで、ワイシャツ用ボタン穴１１をワイシャツ１３の上から２番目のボタン１４にかける。これによりテーブルナプキン１０が着用者のワイシャツ１３に吊るされて固定される。
【００２４】
この状態では、ネクタイが露出している。そこで次に、ネクタイの下方を片手（たとえば右手）でつかみ、他方の手（たとえば左手）でテーブルナプキン１０のネクタイ穴１２を広げて、その空間にネクタイの下方を押し込む。そして、次に、テーブルナプキン１０の裏側、すなわちテーブルナプキン１０と自らの体との間に手を入れて、ネクタイ穴１２に押し込まれたネクタイの下方をつかんで下に引っ張る。そして、ネクタイの大半がテーブルナプキン１０によって覆い隠されるように調整し、さらにネクタイの結び目付近とネクタイ穴１２のあたりの見栄えがよくなるように調整する。
【００２５】
図２（ｂ）は、使用者の上半身を含む全体の様子を示す。図２（ｂ）に示すように、ネクタイの大半は、テーブルナプキン１０により覆い隠される。さらにテーブルナプキン１０の頂点Ｂ及び頂点Ｄのあたりは、それぞれ左右の腕とわき腹との間に挟みこんで、テーブルナプキン１０が着用者の身体にフィットするようにもちいることができる。
【００２６】
≪実施形態２≫
図３は、テーブルナプキンの実施形態２、ワイシャツ用ボタンよりも大きいボタン用のボタン穴を有するテーブルナプキン２０を示す図である。図３において、頂点Ａの近くに、ワイシャツ用ボタン穴１１及びネクタイ穴１２を設けることは、図１に示す実施形態１と同様である。実施形態２では、さらに頂点Ｂの近くにワイシャツ用ボタンより大きいボタン用のボタン穴２１を設け、頂点Ｄの近くにも同様に、ワイシャツ用ボタンより大きいボタン用のボタン穴２２を設けたものである。婦人服の場合、ボタンの大きさがワイシャツ用ボタンよりも大きいものを用いることがある。また、婦人服では、ネクタイの着用を前提としない。したがって、婦人がこのテーブルナプキン２０を用いる場合には、頂点Ｂ又は頂点Ｄの近くにあるボタン穴２１又は２２を用いることにより、自らの着用する服のボタンにテーブルナプキン２０を固定して、用いることができる。ボタン穴２１、２２には、テーブルナプキン２０が布製の場合には、かがり縫いを施して強度を高め、テーブルナプキン２０が紙製の場合には、テープを貼ることで強度を高めることが望ましい。
【００２７】
≪首巻として機能する付属物≫
図４は、一端にワイシャツ用ボタンを有し、他端にワイシャツ用ボタン穴を有する帯状部材からなり、首巻として機能する付属物３０を示す図である。付属物３０は、テーブルナプキン１０、２０と同様の素材を用いて構成する。付属物３０は帯状の部材であり、その大きさは、たとえば幅が２０ミリメートル、長さが６１０ミリメートルとすることができる。ワイシャツ用ボタン３１，３２を２０ミリメートル離して設けて、ワイシャツ用ボタン穴３５,３６,３７をそれぞれ隣り合うものの距離を２０ミリメートル離して設けるものとする。
【００２８】
ワイシャツ用ボタン穴の大きさは１５ミリメートルから２０ミリメートルほどが適切である。ボタン３２とボタン穴３５との間の距離をたとえば４７０ミリメートルとする。そのとき、ボタン３１とボタン穴３５との間の距離は５１０ミリメートル、ボタン３１とボタン穴３６との間の距離は５５０ミリメートル、ボタン３１とボタン穴３７との間の距離は５９０ミリメートル、ボタン３２とボタン穴３５との間の距離は、４９０ミリメートル、ボタン３２とボタン穴３６との間の距離は５３０ミリメートル、ボタン３２とボタン穴３７との間の距離は５７０ミリメートルとなる。したがって、２つのボタンと３つのボタン穴との組合せで６通りの長さの首巻を実現できる。
【００２９】
図５は、付属物３０の使用例を示す図である。図５では、使用者の姿を描くのを省いている。付属物３０をここでは、ボタン３１とボタン穴３７とを用いて５９０ミリメートルの首巻をつくり、使用者の首に巻いたものとする。このとき、ボタン３１が使用者の前方、すなわち胸に近い側にくるように首に巻く。この状態でテーブルナプキン１０又は２０のワイシャツ用ボタン穴１１をボタン３１にかけることで、テーブルナプキンを使用者の身体に密着させて胸を覆うように用いることができる。
【００３０】
このとき、ボタン３１が身体の方を向くようにして、テーブルナプキンが付属物３０と使用者の身体との間にはいるように配置することができる。また、ボタン３１が外を向くようにして、付属物３０の両端がテーブルナプキンと使用者の身体との間にはいるように配置することも可能である。付属物３０の両端に適切な装飾を施して、付属物３０が露出させる選択を使用者が選びやすいように配慮することも可能である。
【００３１】
付属物３０の存在により、婦人服などで胸が開いたドレスの場合などであっても、本発明に係るテーブルナプキンを使用することを可能にする。したがって、本発明に係るテーブルナプキンの使用度を格段に増大させるために、本設計にかかる付属具（吊具）を設けることが望ましい。なお、素材は、テーブルナプキンと同じ素材が望ましいが、機能を果たすことができるならば、他の素材を選択することも可能である。
【００３２】
≪背中側を留める機能を併せ持つ付属物４０≫
図６は、ワイシャツ用ボタンとワイシャツ用ボタン穴とを有し首巻として機能するのに加えて、さらにワイシャツ用ボタンよりも大きいボタンを両端に有し、背中側を留める機能を併せ持つ帯状部材からなる付属物４０を示す図である。付属物４０は、付属物３０をもう少し長くして両端にボタン４１、４２を設けたものである。ボタン４１，４２は、テーブルナプキン２０のボタン用穴２１，２２に対応するものである。付属物３０を背中側に回して、たとえば、ボタン４１をボタン穴２１に、ボタン４２をボタン穴２２にかけることで、テーブルナプキン２０を使用者の身体によりフィットさせて用いることが可能になる。このとき、ボタン３１，３２、ボタン穴３５，３６，３７を適切にもちいて遊びをなくして、付属物４０の長さ（ボタン４１からボタン４２までの長さ）を調整することで、より使用者の身体にフィットさせることも可能である。
【００３３】
≪変形実施例≫
実施形態１の変形実施例として、頂点Ｂ、頂点Ｃ、頂点Ｄのいずれかにワイシャツ用ボタン穴１１と同様のワイシャツ用ボタン穴を設けることとする実施例が可能である。たとえば、頂点Ｂから対角線ＢＤ上の７センチメートルから８センチメートル離れた線上に長さ１５ミリメートルほどの切込みを入れて、ワイシャツ用ボタン穴を設ける。この穴を用いてテーブルナプキン１０を吊るすことにより、ワイシャツを着用しているが、ネクタイを着用していない場合のテーブルナプキン１０の使用が可能となる。また、ネクタイを着用しているが、ネクタイの覆いを必要としていない場合の使用も可能となる。
【符号の説明】
【００３４】
１０  （ワイシャツ用ボタン穴とネクタイ穴とを有する）テーブルナプキン
１１  ワイシャツ用ボタン穴
１２  ネクタイ穴
１３  ワイシャツ
１４  ワイシャツの上から２番目のボタン
１５  ネクタイ
２０  （ワイシャツ用ボタン穴とネクタイ穴とを有し、さらにワイシャツ用ボタンよりも大きいボタン用穴を有する）テーブルナプキン
２１  ワイシャツ用ボタンよりも大きいボタン用のボタン穴
２２  ワイシャツ用ボタンよりも大きいボタン用のボタン穴
３０  （一端にワイシャツ用ボタンを有し、他端にワイシャツ用ボタン穴を有する帯状部材からなり、首巻として機能する）付属物
３１，３２  ワイシャツ用ボタン
３５，３６，３７  ワイシャツ用ボタン穴
４０  （ワイシャツ用ボタンとワイシャツ用ボタン穴とを有し首巻として機能するのに加えて、さらにワイシャツ用ボタンよりも大きいボタンを両端に有し、背中側を留める機能を併せ持つ帯状部材からなる）付属物
４１，４２  ワイシャツ用ボタンよりも大きいボタン
Ａ，Ｂ，Ｃ，Ｄ  頂点
【図１】
2018161396.tif 000003
【図２】
2018161396.tif 000004
【図３】
2018161396.tif 000005
【図４】
2018161396.tif 000006
【図５】
2018161396.tif 000007
【図６】
2018161396.tif 000008